(57)【特許請求の範囲】
【請求項１】
鍵盤の押鍵に伴って作動し、下面にシャンクローラを取り付けたハンマーを回動させ、打弦を行わせるグランドピアノのアクションであって、
後端部を中心として回動自在に設けられ、押鍵された前記鍵盤で突き上げられることにより上方に回動するウィッペンと、
上下方向に貫通し且つ前後方向に延びるジャック案内孔を前部に有し、前記ウィッペンに揺動自在に取り付けられ、上面の前記ジャック案内孔の付近に前記シャンクローラを移動可能に載置するとともに、前記ウィッペンの回動に伴い、前記シャンクローラを介して前記ハンマーを押し上げ、上方に回動させるレペティションレバーと、
このレペティションレバーを復帰方向に付勢するレペティションスプリングと、
前記ウィッペンに回動自在に取り付けられ、上端部が前記レペティションレバーの前記ジャック案内孔に前後方向に移動自在に係合するとともに、前記ウィッペンの回動の途中から、前記シャンクローラを介して前記ハンマーを突き上げ、上方に回動させるジャックと、
前記ウィッペンの回動中に、前記ジャックを係止することにより前記シャンクローラから離脱させるレギュレーティングボタンと、
前記鍵盤の離鍵状態における前記ジャックの角度位置を調整するためのジャックボタンスクリューと、を備え、
前記レペティションレバーの側面の所定位置に、前記ジャックボタンスクリューにより前記ジャックの角度位置を調整する際の目安となる目印が表示されていることを特徴とするグランドピアノのアクション。
【請求項２】
鍵盤の押鍵に伴って作動し、下面にシャンクローラを取り付けたハンマーを回動させ、打弦を行わせるグランドピアノのアクションであって、
後端部を中心として回動自在に設けられ、押鍵された前記鍵盤で突き上げられることにより上方に回動するウィッペンと、
上下方向に貫通し且つ前後方向に延びるジャック案内孔を前部に有し、前記ウィッペンに揺動自在に取り付けられ、上面の前記ジャック案内孔の付近に前記シャンクローラを所定の移動範囲内で移動可能に載置するとともに、前記ウィッペンの回動に伴い、前記シャンクローラを介して前記ハンマーを押し上げ、上方に回動させるレペティションレバーと、
このレペティションレバーを復帰方向に付勢するレペティションスプリングと、  前記ウィッペンに回動自在に取り付けられ、上端部が前記レペティションレバーの前記ジャック案内孔に前後方向に移動自在に係合するとともに、前記ウィッペンの回動の途中から、前記シャンクローラを介して前記ハンマーを突き上げ、上方に回動させるジャックと、
前記ウィッペンの回動中に、前記ジャックを係止することにより前記シャンクローラから離脱させるレギュレーティングボタンと、
前記鍵盤の離鍵状態における前記ジャックの角度位置を調整するためのジャックボタンスクリューと、を備え、
前記レペティションレバーの上面の前記シャンクローラの前記所定の移動範囲外の所定位置に、前記ジャックボタンスクリューにより前記ジャックの角度位置を調整する際の目安となる目印が表示されていることを特徴とするグランドピアノのアクション。
【請求項３】
前記目印は、前記レペティションレバーの上面に形成された目印溝であり、この目印溝は、前記ジャックが所定の角度位置にあるときの、前記ジャック案内孔に係合する前記ジャックの上端部の前面に相当する位置に形成されていることを特徴とする、請求項２に記載のグランドピアノのアクション。
【発明の詳細な説明】
【０００１】
【発明の属する技術分野】
本発明は、グランドピアノのアクションに関し、特にジャックの角度位置の位置決めに必要な目印のレペティションレバーへの表示に関する。
【０００２】
【従来の技術】
グランドピアノのアクションは、鍵盤の押鍵に伴って作動し、ハンマーを回動させ、打弦を行わせるものである。図２および図３はアクションの一例を、鍵盤の離鍵状態において示しており、以下、その構成および動作を概略的に説明する。すなわち、アクション１は、後端部を中心に回動自在で、鍵盤２の後部に載置されたウイッペン３と、ウィッペン３に回動自在に取り付けられたレペティションレバー４およびジャック５を備えている。また、アクション１は、レペティションレバー４およびジャック５を復帰方向（同図の反時計方向）に付勢するレペティションスプリング６と、両者４、５の回動をそれぞれ規制するレペティションスクリュー７およびレギュレーティングボタン８と、ジャック５の角度位置を調整するためのジャックボタンスクリュー９などを有している。
【０００３】
レペティションレバー４には、上下方向に貫通するジャック案内孔４ａが形成されており、このジャック案内孔４ａの付近に、シャンクローラ１１を介してハンマー１０が載置されている。また、レペティションレバー４の上面には、シャンクローラ１１との摩擦を軽減するために、黒鉛（図示せず）が塗られている。
一方、ジャック５は、Ｌ字状に形成されており、上下方向に延びるハンマー突上げ部５ａの先端部が、レペティションレバー４のジャック案内孔４ａに、これに沿って移動自在に係合するとともに、シャンクローラ１１と微小な間隔を存して対向している。
【０００４】
この離鍵状態から、鍵盤２が押鍵されると、ウィッペン３が突き上げられることにより、レペティションレバー４およびジャック５がウィッペン３と一緒に上方に回動する。これらの回動に伴い、まず、レペティションレバー４が、シャンクローラ１１を摺動させながらこれを介してハンマー１０を押し上げ、上方に回動させる。次いで、レペティションレバー４がレペティションスクリュー７に係合することにより、ジャック５がシャンクローラ１１を介してハンマー１０を突き上げる。その後、ハンマー１０が、上方に張られた弦（図示せず）を打弦する直前まで回動した時点で、ジャック５が、レギュレーティングボタン８に係合することによって、シャンクローラ１１から抜ける。これにより、ハンマー１０は、アクション１および鍵盤２との連結を解かれ、自由回動状態で弦を打弦する。
【０００５】
その後、鍵盤２が離鍵され、鍵盤深さの１／３程度まで戻されたタイミングで、レペティションレバー４が作動し始め、レペティションスプリング６のばね力で反時計方向に復帰回動することによって、シャンクローラ１１を摺動させながら押し上げる。これにより、ジャック５が、レペティションスプリング６のばね力で反時計方向に復帰回動し、もとの位置に戻ることによって、鍵盤２が完全に戻らなくても、次の打弦が行えるようになる。
【０００６】
以上のように、レペティションレバー４は、トリルのように連続して同じ鍵盤を叩く奏法を行うのに不可欠の部品である。また、レペティションレバー４は、上述したように構成されるため、その適正な動作、ひいてはアクション１全体の適正な動作を確保するためには、ジャック５を、離鍵状態において、所定の角度位置に位置決めすることが重要である。例えば、ジャック５が同図に示す所定の角度位置よりも反時計方向にずれて位置決めされた場合には、ジャック５が抜けにくく、かつ戻りづらくなってしまう。逆に、ジャック５の角度位置が時計方向にずれた場合には、ジャック５によるシャンクローラ１１の突上げが良好に行えないことで、ハンマー１０への打鍵エネルギーの伝達ロスが大きくなる。
【０００７】
このジャック５の角度位置の調整は、前記ジャックボタンスクリュー９を用いて行われている。このジャックボタンスクリュー９は、ジャック５に前後方向に貫通した状態で進退自在に螺合するとともに、先端部にジャックボタン１２が一体に取り付けられており、ジャックボタン１２は、離鍵状態においては、ウィッペン３に立設されたスプーン１３に当接している。したがって、このジャックボタンスクリュー９を回すことによって、離鍵状態におけるジャック５の角度位置を調整することが可能である。
【０００８】
また、図５および図６に示すように、従来のアクションでは、この調整の際の目安となる目印溝１４が、レペティションレバー４の上面の所定位置に、具体的には、ジャック案内孔４ａの後部寄りの両側に形成されている。この目印溝１４は、レペティションレバー４の上面に摩擦軽減用の黒鉛が塗られる関係上、確認しやすいように、切削加工された浅い溝として形成されている。そして、図６に示すように、ジャック案内孔４ａに臨むジャック５のハンマー突上げ部５ａの背面５ｃを目印溝１４に一致させるよう、ジャックボタンスクリュー９を回すことによって、ジャック５が所定の角度位置に調整される。
【０００９】
【発明が解決しようとする課題】
しかし、上述した従来のアクションでは、ジャック５の角度位置決め用の目印溝１４が、シャンクローラ１１の摺動範囲Ｓ（図６参照）内にあるため、アクション１の作動に伴い、シャンクローラ１１は、目印溝１４を横切りながら、レペティションレバー４の上面を移動することになる。このため、目印溝１４の加工状態や黒鉛の付着状態などによっては、目印溝１４による段差によって、レペティションレバー４が目印溝１４上を滑らかに越えることができず、それにより、雑音が発生するとともに、摩擦抵抗の増加により鍵盤２のタッチ重さが増大するという問題がある。
【００１０】
本発明は、このような課題を解決するためになされたものであり、ジャックの角度位置決め用の目印に起因する摩擦抵抗の増大および雑音の発生を防止でき、それにより、アクションの円滑で安定した動作を確保することができるグランドピアノのアクションを提供することを目的とする。
【００１１】
【課題を解決するための手段】
この目的を達成するため、請求項１に係る発明は、鍵盤の押鍵に伴って作動し、下面にシャンクローラを取り付けたハンマーを回動させ、打弦を行わせるグランドピアノのアクションであって、後端部を中心として回動自在に設けられ、押鍵された鍵盤で突き上げられることにより上方に回動するウィッペンと、上下方向に貫通し且つ前後方向に延びるジャック案内孔を前部に有し、ウィッペンに揺動自在に取り付けられ、上面のジャック案内孔の付近にシャンクローラを移動可能に載置するとともに、ウィッペンの回動に伴い、シャンクローラを介してハンマーを押し上げ、上方に回動させるレペティションレバーと、このレペティションレバーを復帰方向に付勢するレペティションスプリングと、ウィッペンに回動自在に取り付けられ、上端部がレペティションレバーのジャック案内孔に前後方向に移動自在に係合するとともに、ウィッペンの回動の途中から、シャンクローラを介してハンマーを突き上げ、上方に回動させるジャックと、ウィッペンの回動中に、ジャックを係止することによりシャンクローラから離脱させるレギュレーティングボタンと、鍵盤の離鍵状態におけるジャックの角度位置を調整するためのジャックボタンスクリューと、を備え、レペティションレバーの側面の所定位置に、ジャックボタンスクリューによりジャックの角度位置を調整する際の目安となる目印が表示されていることを特徴としている。
【００１２】
このグランドピアノのアクションでは、通常のそれと同様、鍵盤が押鍵されると、ウィッペンが鍵盤で突き上げられ、上方に回動するのに伴い、まず、レペティションレバーが、その上面に載置されたシャンクローラを介してハンマーを押し上げ、次いで、ジャックがシャンクローラを介してハンマーを突き上げることによって、ハンマーを上方に回動させる。その後、ジャックがレギュレーティングボタンに係止され、シャンクローラから抜けることによって、ハンマーは、アクションおよび鍵盤との連結を解かれた自由回動状態で、打弦を行う。その後、鍵盤が離鍵されると、レペティションレバーがレペティションスプリングのばね力で復帰回動することによって、シャンクローラを移動させながら押し上げる。
これに伴い、ジャックがもとの位置に戻りやすくなることで、鍵盤が完全に戻らなくても、次の打弦が行えるようになる。
【００１３】
また、このアクションでは、鍵盤の離鍵状態におけるジャックの角度位置をジャックボタンスクリューで調整する際の目安となる目印が、レペティションレバーの側面に表示されている。したがって、アクションの作動に伴ってシャンクローラがレペティションレバーの上面を移動する際に、シャンクローラは目印にはまったく接触しないので、レペティションレバー上を滑らかに移動できるとともに、目印との接触による摩擦抵抗の増大および雑音の発生を防止でき、それにより、アクションの円滑で安定した動作を確保することができる。また、基本的に、従来に対して目印の表示位置を変更するだけでよいので、容易かつ安価に実現することができる。
【００１４】
また、上記目的を達成するため、請求項２に係る発明は、鍵盤の押鍵に伴って作動し、下面にシャンクローラを取り付けたハンマーを回動させ、打弦を行わせるグランドピアノのアクションであって、後端部を中心として回動自在に設けられ、押鍵された鍵盤で突き上げられることにより上方に回動するウィッペンと、上下方向に貫通し且つ前後方向に延びるジャック案内孔を前部に有し、ウィッペンに揺動自在に取り付けられ、上面のジャック案内孔の付近にシャンクローラを所定の移動範囲で移動可能に載置するとともに、ウィッペンの回動に伴い、シャンクローラを介してハンマーを押し上げ、上方に回動させるレペティションレバーと、このレペティションレバーを復帰方向に付勢するレペティションスプリングと、ウィッペンに回動自在に取り付けられ、上端部がレペティションレバーのジャック案内孔に前後方向に移動自在に係合するとともに、ウィッペンの回動の途中から、シャンクローラを介してハンマーを突き上げ、上方に回動させるジャックと、ウィッペンの回動中に、ジャックを係止することによりシャンクローラから離脱させるレギュレーティングボタンと、鍵盤の離鍵状態におけるジャックの角度位置を調整するためのジャックボタンスクリューと、を備え、レペティションレバーの上面のシャンクローラの所定の移動範囲外の所定位置に、ジャックボタンスクリューによりジャックの角度位置を調整する際の目安となる目印が表示されていることを特徴とする。
【００１５】
このグランドのアクションの動作は、前述した請求項１のアクションとまったく同じである。また、このアクションでは、ジャックの角度位置をジャックボタンスクリューで調整する際の目安となる目印が、レペティションレバーの上面のシャンクローラの移動範囲から外れた位置に表示されている。したがって、請求項１のアクションと同様、シャンクローラがレペティションレバーの上面を移動する際に、シャンクローラは目印にはまったく接触しないので、シャンクローラが滑らかに移動できるとともに、摩擦抵抗の増大および雑音の発生を防止でき、アクションの円滑で安定した動作を確保することができる。
【００１６】
この場合、目印は、レペティションレバーの上面に形成された目印溝であり、この目印溝は、ジャックが所定の角度位置にあるときの、ジャック案内孔に係合するジャックの上端部の前面に相当する位置に形成されていることが好ましい。
【００１７】
一般に、シャンクローラは、レペティションレバー上を移動する際、所定の角度位置にあるジャックの背面に相当する位置を横切るものの、ジャックの前面に相当する位置までは達しない。したがって、このアクションによれば、所定の角度位置にあるジャックの前面に相当する位置に目印を表示することによって、請求項２による前述の利点を得ることができる。また、このアクションでは、従来のアクションと同様、目印がレペティションレバーの上面に目印溝として形成されているので、従来に対して目印溝の位置を変更するだけでよく、極めて容易かつ安価に実現することができる。
【００１８】
【発明の実施の形態】
以下、図面を参照しながら、本発明の好ましい実施形態を、詳細に説明する。
まず、すでに概説したグランドピアノのアクション１の構成を、図２および図３を参照して、より詳細に説明する。なお、この場合、演奏者から見て手前側（図２の右側）を「前」、奥側（図２の左側）を「後」として、説明を行うものとする。図２に示すように、アクション１は、鍵盤２を載置する筬（図示せず）の左右端部にそれぞれ設けたブラケット２１（図１に一方のみ図示）に取り付けられている。左右のブラケット２１、２１間には、ウィッペンレール２２およびハンマーシャンクレール２３が渡されており、このウィッペンレール２２にねじ止めした各ウィッペンフレンジ２４に、ウイッペン３の後端部が回動自在に取り付けられている。各ウイッペン３は、前後方向に延び、対応する鍵盤２の上面後部に設けられたキャプスタンボタン２５に、ウィッペンヒール２６を介して載っている。
【００１９】
レペティションレバー４は、断面が矩形状で、斜め前上がりに前後方向に延びており、その中央部でウィッペン３に回動自在に取り付けられている。レペティションレバー４の後端部には、レバースクリュー２７が上下方向に貫通した状態で進退自在に螺合しており、その下端部にレバーボタン２８が一体に設けられている。また、レペティションレバー４は、ウィッペン３に取り付けたレペティションスプリング６によって、復帰方向（同図の反時計方向）に付勢されている。
以上の構成により、鍵盤２の離鍵状態では、レペティションレバー４は、レペティションスプリング６のばね力により復帰側に回動していて、レバーボタン２８がウィッペン３の上面に当接しているとともに、レバースクリュー２７を回すことによって、離鍵状態におけるレペティションレバー４の角度を調整することが可能である。
【００２０】
レペティションレバー４の前部の所定位置には、上下方向に貫通するジャック案内孔４ａが前後方向に延びるように形成されている。また、レペティションレバー４の上面のジャック案内孔４ａよりも前側には、レバースキン３３が貼り付けられている（図１参照）。さらに、レペティションレバー４の上面には、シャンクローラ１１との摩擦を軽減するために黒鉛（図示せず）が塗られている。
【００２１】
一方、ハンマー１０は、前後方向に延びるハンマーシャンク２９と、その先端に取り付けたハンマーヘッド３０で構成されており、ハンマーシャンク２９の基端部において、ハンマーシャンクレール２３にねじ止めしたハンマーシャンクフレンジ３１に回動自在に取り付けられている。シャンクローラ１１は、例えば内側のクロスとその外側に巻いたスキンとから円柱状に形成されており、ハンマーシャンク２９の下面後部の所定位置に取り付けられている。シャンクローラ１１は、レペティションレバー４の上面のジャック案内孔４ａ付近に、これをまたいだ状態で載置されている。また、ハンマーシャンクフレンジ３１の下面には、レペティションレバー４の上方への回動を規制するレペティションスクリュー７が進退自在に螺合し、レバースキン３３を貼り付けたレペティションレバー４の前端部と所定の間隔をもって対向している。
【００２２】
ジャック５は、上下方向に延びる断面矩形のハンマー突上げ部５ａと、その下端部から後方にほぼ直角に延びるレギュレーティングボタン当接部５ｂとから、Ｌ字状に形成されており、その角部においてウィッペン３の前端部に回動自在に取り付けられている。ハンマー突上げ部５ａの上端部は、レペティションレバー４のジャック案内孔４ａに、前後方向に移動自在に係合するとともに、図３に示すように、離鍵状態においてはシャンクローラ１１と微小な間隔を存して対向している。また、ジャック５は、レペティションレバー４を付勢するレペティションスプリング６によって、復帰方向（図２の反時計方向）に付勢されている。
【００２３】
また、ジャック５のハンマー突上げ部５ａの中間部には、ジャック５の角度位置を調整するためのジャックボタンスクリュー９が、前後方向に貫通した状態で進退自在に螺合している。ジャックボタンスクリュー９の先端部には、ジャックボタン１２が一体に設けられており、このジャックボタン１２は、離鍵状態では、ウィッペン３に立設されたスプーン１３に当接している。したがって、このジャックボタンスクリュー９を回すことによって、離鍵状態におけるジャック５の角度位置を調整することが可能である。
【００２４】
一方、ハンマーシャンクレール２３の下面には、レギュレーティングレール３２がねじ止めされており、このレギュレーティングレール３２の下面に、ジャック５の上方への回動を規制するレギュレーティングボタン８が進退自在に螺合していて、ジャック５のレギュレーティングボタン当接部５ｂの前端部と所定の間隔をもって対向している。
【００２５】
以上の構成のアクション１によれば、図２に示す離鍵状態から鍵盤２が押鍵されると、ウィッペン３が、キャプスタンボタン２５を介して突き上げられることにより、上方に回動するとともに、ウィッペン３に取り付けたレペティションレバー４およびジャック５も上方に回動する。これに伴い、まず、レペティションレバー４が、シャンクローラ１１を摺動させながらこれを介してハンマー１０を押し上げ、上方に回動させる。次いで、レペティションレバー４がレペティションスクリュー７に係合することにより、その回動が阻止されることで、ジャック５がシャンクローラ１１を介してハンマー１０を突き上げる。その後、ハンマー１０が、上方に張られた弦（図示せず）を打弦する直前まで回動した時点で、ジャック５が、レギュレーティングボタン８に係合し、その回動が阻止されることによって、シャンクローラ１１から抜ける。これにより、ハンマー１０は、アクション１および鍵盤２との連結を解かれ、自由回動状態で弦を打弦する。
【００２６】
その後、鍵盤２が離鍵され、鍵盤深さの１／３程度まで戻されたタイミングで、レペティションレバー４が作動し始め、レペティションスプリング６のばね力で反時計方向に復帰回動することによって、シャンクローラ１１を摺動させながらこれを押し上げる。これにより、ジャック５が、レペティションスプリング６のばね力で、反時計方向に復帰回動し、もとの位置に戻ることによって、鍵盤２が完全に戻らなくても、次の打弦が確実に行えるようになる。
【００２７】
図１は、本実施形態による、離鍵状態におけるジャック５の角度位置の位置決め用の目印の表示状況を示している。同図に示すように、本実施形態では、この目印は、レペティションレバー４の側面に形成された目印溝３５で構成されている。目印溝３５は、レペティションレバー４のジャック案内孔４ａの両外側面に、それぞれ形成されている。また、その前後方向の位置は、図５に示した従来の目印溝１４と同じであり、すなわち、所定の角度位置にあるジャック５のハンマー突上げ部５ａの背面５ｃに相当する所定位置に設定されている。また、目印溝３５は、切削加工された浅い溝として、上下方向に延びるように形成されている。
【００２８】
したがって、従来と同様、ジャック５のハンマー突上げ部５ａの背面５ｃを目印溝３５、３５に一致させるよう、ジャックボタンスクリュー９を回すことによって、ジャック５を所定の角度位置に調整できる。また、目印溝３５が、レペティションレバー４の側面に表示されているので、アクション１の作動に伴ってシャンクローラ１１が前述したようにレペティションレバー４の上面を摺動する際に、シャンクローラ１１は目印溝３５にはまったく接触しない。したがって、シャンクローラ１１は滑らかに摺動できるとともに、目印溝３５との接触による摩擦抵抗の増大および雑音の発生を防止でき、それにより、アクション１の円滑で安定した動作を確保することができる。また、従来に対して目印溝３５の表示位置を変更するだけでよいので、容易かつ安価に実現することができる。
【００２９】
図４は、本発明の第２実施形態を示している。同図に示すように、本実施形態は、従来と同様、目印溝４５を、レペティションレバー４の上面のジャック案内孔４ａの両側に、それぞれ形成したものである。一方、目印溝４５の前後方向の位置は、従来の目印溝１４と異なっていて、シャンクローラ１１の摺動範囲Ｓ（移動範囲）を外れた前側で、かつ所定の角度位置にあるジャック５の前面５ｄに相当する所定位置に設定されている。
【００３０】
したがって、同図に示すように、ジャック５のハンマー突上げ部５ａの前面５ｄを目印溝４５、４５に一致させることによって、ジャック５を所定の角度位置に調整できる。また、目印溝４５、４５が、レペティションレバー４の上面のシャンクローラ１１の摺動範囲Ｓから外れた位置に形成されているので、シャンクローラ１１は目印溝４５にはまったく接触しない。したがって、第１実施形態と同様、シャンクローラ１１が滑らかに摺動できるとともに、目印溝４５との接触による摩擦抵抗の増大および雑音の発生を防止でき、アクションの円滑で安定した動作を確保できる。また、従来の目印溝１４に対してその前後方向位置を変更するだけでよいので、極めて容易かつ安価に実現することができる。
【００３１】
なお、本発明は、説明した実施形態に限定されることなく、種々の態様で実施することができる。例えば、第１実施形態では、目印溝３５をレペティションレバー４のジャック案内孔４ａの外側面に形成しているが、これを内側面に形成してもよい。また、２つの実施形態ではいずれも、ジャック５の角度位置調整用の目印を、切削加工された目印溝で構成しているが、この目印は、調整の際に目安となり得るものであれば、その表示方法は任意であり、例えばマーキングなどとしてもよい。この目印溝以外の表示方法は、第１実施形態のように、黒鉛が塗布されないレペティションレバー４の側面に目印を表示する場合には、表示が黒鉛で見にくくなることがないので、特に適している。その他、本発明の趣旨の範囲内で、細部の構成を適宜、変更することが可能である。
【００３２】
【発明の効果】
以上詳述したように、本発明のグランドピアノのアクションは、ジャックの角度位置決め用の目印に起因する摩擦抵抗の増大および雑音の発生を防止でき、それにより、アクションの円滑で安定した動作を確保することができるなどの効果を有する。
【図面の簡単な説明】
【図１】本発明の第１実施形態によるグランドピアノのアクションのレペティションレバーを示す斜視図である。
【図２】グランドピアノのアクションを含む鍵盤装置の側面図である。
【図３】アクションおよびハンマーの分解斜視図である。
【図４】本発明の第２実施形態によるグランドピアノのアクションのレペティションレバー、およびジャックの角度位置の調整方法を示す平面図である。
【図５】従来のグランドピアノのアクションのレペティションレバーを示す斜視図である。
【図６】図５によるジャックの角度位置の調整方法を示す平面図である。
【符号の説明】
１    アクション
２    鍵盤
３    ウィッペン
４    レペティションレバー
４ａ  ジャック案内孔
５    ジャック
５ｄ  ジャックの前面
６    レペティションスプリング
８    レギュレーティングボタン
９    ジャックボタンスクリュー
１０    ハンマー
１１    シャンクローラ
３５    目印溝（目印）
４５    目印溝（目印）
Ｓ    シャンクローラの摺動範囲（移動範囲）
【図１】
0004576045.tif 000002
【図２】
0004576045.tif 000003
【図３】
0004576045.tif 000004
【図４】
0004576045.tif 000005
【図５】
0004576045.tif 000006
【図６】
0004576045.tif 000007